【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
光記録媒体に近接場光を照射して記録及び／又は再生を行う光記録再生方法であって、
上記光記録媒体の案内トラックに挟まれた記録再生領域に、２以上の記録再生用のビームスポットを配置して記録及び／又は再生を行う
ことを特徴とする光記録再生方法。
【請求項２】
上記ビームスポットのうち少なくとも１つ、又はこれとは別に設けるビームスポットを、近接場光照射手段と上記光記録媒体の表面との間隔を検出するギャップ検出用ビームスポットとする
ことを特徴とする請求項１記載の光記録再生方法。
【請求項３】
上記記録再生用のビームスポットと、上記ギャップ検出用ビームスポットとを、少なくとも異なる波長の光を用いて照射する
ことを特徴とする請求項２記載の光記録再生方法。
【請求項４】
上記案内トラックの間の記録再生領域に、略等間隔に少なくとも上記記録再生用のビームスポットを配置する
ことを特徴とする請求項１記載の光記録再生方法。
【請求項５】
上記案内トラックの間の記録再生領域の略中央位置、もしくは該中央位置から対称な位置に、上記ギャップ検出用ビームスポットを配置する
ことを特徴とする請求項２記載の光記録再生方法。
【請求項６】
上記光記録媒体に配置された案内トラック、ピット、ウォブル、記録マークのいずれかの開始間隔距離を利用して、上記２以上の記録再生用のビームスポットのビーム配置間隔を算出する
ことを特徴とする請求項１記載の光記録再生方法。
【請求項７】
光源からの光を少なくとも近接場光照射手段を用いて光記録媒体に照射する光ピックアップ装置であって、
上記光記録媒体の案内トラックに挟まれた記録再生領域に、２以上の記録再生用のビームスポットを配置する
ことを特徴とする光ピックアップ装置。
【請求項８】
上記ビームスポットのうち少なくとも１つ、又はこれとは別に設けられるビームスポットが、近接場光照射手段と上記光記録媒体の表面との間隔を検出するギャップ検出用ビームスポットとされる
ことを特徴とする請求項７記載の光ピックアップ装置。
【請求項９】
上記記録再生用のビームスポットと、上記ギャップ検出用ビームスポットとを、少なくとも異なる波長の光を用いて照射する
ことを特徴とする請求項８記載の光ピックアップ装置。
【請求項１０】
上記案内トラックの間の記録再生領域に、略等間隔に少なくとも上記記録再生用のビームスポットを配置する
ことを特徴とする請求項７記載の光ピックアップ装置。
【請求項１１】
上記案内トラックの間の記録再生領域の略中央位置、もしくは該中央位置から対称な位置に、上記ギャップ検出用ビームスポットを配置する
ことを特徴とする請求項８記載の光ピックアップ装置。
【請求項１２】
上記光記録媒体に配置された案内トラック、ピット、ウォブル、記録マークのいずれかの開始間隔距離を利用して、上記２以上の記録再生用のビームスポットのビーム配置間隔が算出される
ことを特徴とする請求項７記載の光ピックアップ装置。
【請求項１３】
光源からの光を少なくとも近接場光照射手段を用いて光記録媒体に照射して記録及び／又は再生がなされる光記録再生装置において、
上記光記録媒体の案内トラックに挟まれた記録再生領域に、２以上の記録再生用のビームスポットが配置される
ことを特徴とする光記録再生装置。
【請求項１４】
上記ビームスポットのうち少なくとも１つ、又はこれとは別に設けられるビームスポットが、近接場光照射手段と上記光記録媒体の表面との間隔を検出するギャップ検出用ビームスポットとされる
ことを特徴とする請求項１３記載の光記録再生装置。
【請求項１５】
近接場光が照射されて記録及び／又は再生がなされる光記録媒体であって、
案内トラックに挟まれた領域に、同期して記録及び／又は再生がなされる２以上の記録トラックが設けられて成る
ことを特徴とする光記録媒体。
【請求項１６】
光記録媒体に近接場光を照射して記録及び／又は再生を行う光記録再生方法であって、
上記光記録媒体の案内トラックを挟んだ両側の記録再生領域に、２以上の記録再生用のビームスポットを配置して記録及び／又は再生を行うとともに、
上記案内トラック上に、近接場光照射手段と上記光記録媒体の表面との間隔を検出するギャップ検出用ビームスポットを配置する
ことを特徴とする光記録再生方法。
【請求項１７】
上記記録再生用のビームスポットと、上記ギャップ検出用ビームスポットとを、少なくとも異なる波長の光を用いて照射する
ことを特徴とする請求項１６記載の光記録再生方法。
【請求項１８】
上記案内トラックを挟んだ両側の記録再生領域に、略等間隔に少なくとも上記記録再生用のビームスポットを配置する
ことを特徴とする請求項１６記載の光記録再生方法。
【請求項１９】
上記光記録媒体に配置された案内トラック、ピット、ウォブル、記録マークのいずれかの開始間隔距離を利用して、上記２以上の記録再生用のビームスポットのビーム配置間隔を算出する
ことを特徴とする請求項１６記載の光記録再生方法。
【請求項２０】
光源からの光を少なくとも近接場光照射手段を用いて光記録媒体に照射する光ピックアップ装置であって、
上記光記録媒体の案内トラックを挟んだ両側の記録再生領域に、２以上の記録再生用のビームスポットを配置して記録及び／又は再生が行われるとともに、
上記案内トラック上に、近接場光照射手段と上記光記録媒体の表面との間隔を検出するギャップ検出用ビームスポットが配置される
ことを特徴とする光ピックアップ装置。
【請求項２１】
上記記録再生用のビームスポットと、上記ギャップ検出用ビームスポットとが、少なくとも異なる波長の光を用いて照射される
ことを特徴とする請求項２０記載の光ピックアップ装置。
【請求項２２】
上記案内トラックを挟んだ両側の記録再生領域に、略等間隔に少なくとも上記記録再生用のビームスポットが配置される
ことを特徴とする請求項２０記載の光ピックアップ装置。
【請求項２３】
上記光記録媒体に配置された案内トラック、ピット、ウォブル、記録マークのいずれかの開始間隔距離を利用して、上記２以上の記録再生用のビームスポットのビーム配置間隔が算出される
ことを特徴とする請求項２０記載の光ピックアップ装置。
【請求項２４】
光源からの光を少なくとも近接場光照射手段を用いて光記録媒体に照射して記録及び／又は再生がなされる光記録再生装置において、
上記光記録媒体の案内トラックを挟んだ両側の記録再生領域に、２以上の記録再生用のビームスポットを配置して記録及び／又は再生が行われるとともに、
上記案内トラック上に、近接場光照射手段と上記光記録媒体の表面との間隔を検出するギャップ検出用ビームスポットが配置される
ことを特徴とする光記録再生装置。
【請求項２５】
近接場光による記録及び／又は再生がなされる光記録媒体の製造方法であって、
上記光記録媒体の作製に用いる光記録媒体用原盤の案内トラック、ピット、ウォブルの少なくとも一部を、電子線描画装置による高速ブランキング描画を用いて形成する
ことを特徴とする光記録媒体の製造方法。
【請求項２６】
半導体レーザが２以上積層され、
少なくともその１つの半導体レーザが２以上の発光端を有し、
上記各半導体レーザの全発光端のうち少なくとも１つの発光端が、他の発光端の配列の両端を結ぶ線の略中央位置に配置されるか、もしくは２以上の発光端が、該中央位置から対称な位置に配置されて成る
ことを特徴とする半導体レーザ装置。
【請求項２７】
上記略中央位置に配置される発光端、もしくは該中央位置から対称な位置に配置されて成る発光端を有する半導体レーザは、他の発光端を有する半導体レーザとは異なる波長のレーザ光を発振する
ことを特徴とする請求項２６記載の半導体レーザ装置。
【手続補正２】
【補正対象書類名】明細書
【補正対象項目名】０００２
【補正方法】変更
【補正の内容】
【０００２】
ＣＤ、ＭＤ、ＤＶＤ（いずれも光ディスクの登録商標）に代表される光（もしくは光磁気）記録媒体は、音楽情報、映像情報、データ、プログラム等の格納媒体として広く利用されている。しかしながら、更なる音楽情報、映像情報、データ、プログラム等の高音質化、高画質化、長時間化、大容量化により、さらに大容量の光記録媒体及びこその記録再生を行う光記録再生装置が望まれている。
【手続補正３】
【補正対象書類名】明細書
【補正対象項目名】００３８
【補正方法】変更
【補正の内容】
【００３８】
更に、図３０に示すように、半周毎に溝又はランドとピットとを間歇的に設ける場合も同様であり、更に、図３１に示すように、案内トラック３１にピット３１Ａを連続的に設ける場合、図３２に示すように、案内トラック３１の一部にウォブル３１Ｂを設ける場合、また図３３に示すように、案内トラック３１の略全域にウォブル３１Ｂを設ける場合、更に図３４に示すように、溝又はランド状の案内トラック３１と混在してピット３１Ａ及びウォブル３１Ｂを局部的に設ける場合においても同様である。
図２６〜図３４において、図１２と対応する部分には同一符号を付して重複説明を省略する。なお、以上の各図においては、記録再生用のビームスポット３２を２つ配置し、その略中央位置にギャップ検出用ビームスポット３３を設けた例を示したが、ビームスポットの配置はこの例に限定されるものではなく、その他前述の各ビーム本数、またギャップ検出用ビームスポットを記録再生領域内に配置する場合、案内トラック上に配置する場合においても同様であることはいうまでもない。
これら全ての場合において、上述したように、ピット、ウォブルが部分的或いは連続的に設けられる場合においても、ギャップ検出を精度良く行ってニアフィールド記録再生の安定性を高めることができる。
【手続補正４】
【補正対象書類名】明細書
【補正対象項目名】００４３
【補正方法】変更
【補正の内容】
【００４３】
また、記録層又は記録再生方式についても同様に、図４５Ａ〜Ｄに模式的な断面構成を示す各種の光記録媒体に本発明を適用することができる。図４５Ａにおいては、相変化記録媒体１Ａの一例を示し、基板６５上に反射層１０１、誘電体層１０２、相変化材料層１０３、誘電体層１０４、保護層１０５を設ける場合である。図４５Ｂは、光磁気記録媒体１Ｂの一例を示し、基板６５上に反射層１０１、誘電体層１０２、光磁気記録層１０６、誘電体層１０４、保護層１０５を設ける場合である。図４５Ｃにおいては色素記録媒体１Ｃの一例を示し、基板６５上に反射層１０１、誘電体層１０２、色素記録層１０７、誘電体層１０４、保護層１０５を設ける場合である。図４５Ｄにおいては、再生専用媒体１Ｄの一例を示し、基板６５上に図示しないが凹凸ピットパターンによる記録マークいわゆるピットが形成され、その上に反射層１０１、誘電体層１０４、保護層１０５を設けて記録媒体が構成される。これら各種の記録再生方式による光記録媒体に本発明を適用することによって、高い転送レートで安定したニアフィールド記録再生を行うことが可能となる。
【手続補正５】
【補正対象書類名】明細書
【補正対象項目名】００４８
【補正方法】変更
【補正の内容】
【００４８】
次に、案内トラックの間に３本のビームスポットを配置する場合について説明する。図５８は、案内トラック３１の間に第１〜第３のビームスポット３２Ａ、３２Ｂ及び３２Ｃを配置する場合を示す。第１及び第２のビームスポットの間隔をｘ１２、第２及び第３のビームスポットの間隔をｘ２３、第１と第３のビームスポットの間隔をｘ１３とし、両側の案内トラック３１におけるピット３１Ａの開始間隔をｙ１３とする。また、第１及び第２のビームによる記録マークの開始間隔をｚ１２、第２及び第３のビームによる記録マークの開始間隔をｚ２３とする。
この場合、第１と第３のビームスポットの間隔ｘ１３がピット開始間隔ｙ１３と略等しく、また第２のビームスポットが第１及び第３のビームスポットの略中央に位置する場合、図５９にピット及び記録マークの記録再生信号を模式的に示すように、第１及び第３のビームによるピットの再生信号ＳＰは略同時に開始し、その後第１〜第３のビームによる記録再生信号ＳＲＷが略同時に開始する。すなわち、ｘ１２＝ｘ２３となる。
【手続補正６】
【補正対象書類名】明細書
【補正対象項目名】００５１
【補正方法】変更
【補正の内容】
【００５１】
また、ビームスポットが４本以上となる場合も、同様の方法によりビーム間隔をピット開始位置から算出することができる。図６２においては、第１〜第４のビームスポットを配置する場合のピット信号及び記録再生信号を模式的に示す。第２及び第３のビームスポットを、第１及び第４のビームスポットの間に等間隔に配置した場合の位置からの第２及び第３のビームスポットのずれ量は、それぞれ線速をａとし、第１及び第２のビームスポットの記録再生開始時刻の差をΔｔ１２、第３及び第４のビームスポットの記録再生開始時刻の差をΔｔ３４とすると、それぞれａ×Δｔ１２、ａ×Δｔ３４となり、これらと第１と第４のビームスポットの間隔ｘ１４の１／３との和（又は差）からそれぞれビームスポット間隔を算出することができる。
同様に、図６３に示すように、ビームスポットを５本配置する場合においても図６３に示すように、それぞれビームスポットの記録再生開始時刻の差Δｔ１２、Δｔ２３、Δｔ３４、Δｔ４５からそれぞれずれ量を求め、これらからビーム配置間隔を算出することができることは同様である。
このように４本以上のビームを配置する場合においても、ピット開始位置から各スポットの配置位置を算出することができるものであるが、両端のビーム配置間隔とピット開始間隔が異なる場合についても、前述の図５０〜５７において説明した例と同様の方法をもって、各ビームスポットの配置位置を算出することができる。
このように、複数のビームスポットを案内トラックに沿う位置以外に設ける場合においても、そのビームスポット配置位置を精度良く算出することができて、記録再生信号の同期を容易にとることができて、高転送レートで安定したニアフィールド記録再生が可能となる。
【手続補正７】
【補正対象書類名】明細書
【補正対象項目名】００６７
【補正方法】変更
【補正の内容】
【００６７】
１．光記録媒体、１Ａ．相変化記録媒体、１Ｂ．光磁気記録媒体、１Ｃ．色素記録媒体、１Ｄ．再生専用記録媒体、２．近接場光照射手段、３．光学レンズ、１０．光源、１１．コリメートレンズ、１２．無偏光ビームスプリッタ、１３．偏光ビームスプリッタ、１４．１／４波長板、１５．ビームエキスパンダー、１６．ミラー、１７．アクチュエータ、１８．レンズ、１９．受光手段、２０．レンズ、２１．受光手段、３０Ｎ．記録再生領域、３１．案内トラック、３１Ａ．ピット、３１Ｂ．ウォブル、３１Ａｉ．高速ブランキング部、３１Ａｏ．高速ブランキング部、３２．ビームスポット、３３．ギャップ検出用ビームスポット、３４．記録信号、４０．光源、４１．コリメートレンズ、４２．ビームスプリッタ、４３、偏光ビームスプリッタ、４４．１／４波長板、４５．ダイクロイックプリズム、５１．半導体レーザ、５１Ｓ．発光端、５２．半導体レーザ、５２Ｓ．発光端、５３．半導体レーザ、５３Ｓ．発光端、６０．媒体表面、６１．記録面、６３．端面、６５．基板、６６．平坦化層、７０．集光レンズ、７１．第１のビームスプリッタ、７２．第２のビームスプリッタ、７３．保持部、７４．フォーカシング用コイル、７５．トラッキング用コイル、７６．２軸ピックアップ、８１．球状部、８２．先端部、１０１．反射層、１０２．誘電体層、１０３．相変化記録層、１０４．誘電体層、１０５．保護層、１０６．光磁気記録層、１０７．色素記録層
【手続補正８】
【補正対象書類名】図面
【補正対象項目名】図４
【補正方法】変更
【補正の内容】
【図４】
2006012301.tif 000001
【手続補正９】
【補正対象書類名】図面
【補正対象項目名】図４５
【補正方法】変更
【補正の内容】
【図４５】
2006012301.tif 000002